(57)【要約】【課題】結像レンズを通った後の、原稿で反射した反射光の主走査方向の中央部と端部とに照度差が生じるのを補正部材を使用せずに抑制し、且つ、まだ使用可能なＬＥＤまでもが必要以上にに交換されるのを抑制できる画像読取装置及び画像形成装置を提供する。【解決手段】原稿におけるＬＥＤアレイ４００の列設方向の光源部１９０による照度分布が、ＬＥＤアレイ４００の列設方向の端部よりもＬＥＤアレイ４００の列設方向の中央部のほうが低くなるようにしている。これにより、結像レンズ２００を通過した反射光の前記中央部と前記端部とに照度差が生じないような前記照度分布を調整が可能となる。また、光源部１９０では、複数のＬＥＤアレイ４００を設置台４０３またはベース基板４０６上に着脱可能に設けているので、点灯しなくなったＬＥＤ４０１があったとしても、そのＬＥＤ４０１が配置されたＬＥＤアレイ４００のみを交換することができる。【選択図】図１
2008160555.tif 000002
【特許請求の範囲】
【請求項１】
発光素子をそれぞれ有した複数の光照射体と、該複数の光照射体を着脱可能に列で保持する保持部材とからなる、画像読取対象物に光を照射する光源部と、
該画像読取対象物の被読取面に沿って移動可能な、少なくとも該光源部を有する走行体と、
該画像読取対象物で反射した反射光を結像させるレンズ部材と、
該レンズ部材によって結像された該反射光によって該画像読取対象物を撮像する撮像手段とを備え、
該複数の光照射体は該保持部材に、該走行体の移動方向に対して直交する方向に列設されており、
該光照射体の列設方向の該光源部による照度分布が、該光照射体の列設方向の端部よりも該光照射体の列設方向の中央部のほうが低くなるように、該保持部材における該光照射体の列設方向での該光照射体の配列密度を前記端部よりも前記中央部を低くして、該複数の光照射体を該保持部材上に配置したことを特徴とする画像読取装置。
【請求項２】
発光素子をそれぞれ有した複数の光照射体と、該複数の光照射体を着脱可能に列で保持する保持部材とからなる、画像読取対象物に光を照射する光源部と、
該画像読取対象物の被読取面に沿って移動可能な、少なくとも該光源部を有する走行体と、
該画像読取対象物で反射した反射光を結像させるレンズ部材と、
該レンズ部材によって結像された該反射光によって該画像読取対象物を撮像する撮像手段とを備え、
該複数の光照射体は該保持部材に、該走行体の移動方向に対して直交する方向に列設されており、且つ、該光照射体の列設方向の該光源部による照度分布が、該光照射体の列設方向の端部よりも該光照射体の列設方向の中央部のほうが低くなるように該画像読取対象物に対する該光照射体の距離を該複数の光照射体間で異ならせて構成したことを特徴とする画像読取装置。
【請求項３】
発光素子をそれぞれ有した複数の光照射体と、該複数の光照射体を着脱可能に列で保持する保持部材とからなる、画像読取対象物に光を照射する光源部と、
該画像読取対象物の被読取面に沿って移動可能な、少なくとも該光源部を有する走行体と、
該画像読取対象物で反射した反射光を結像させるレンズ部材と、
該レンズ部材によって結像された該反射光によって該画像読取対象物を撮像する撮像手段とを備え、
該複数の光照射体は該保持部材に、該走行体の移動方向に対して直交する方向に列設されており、
該光照射体の列設方向の該光源部による照度分布が、該光照射体の列設方向の端部よりも該光照射体の列設方向の中央部が低くなるように、該光照射体に流す電流量を該複数の光照射体間で異ならせることを特徴とする画像読取装置。
【請求項４】
発光素子をそれぞれ有した複数の光照射体と、該複数の光照射体を着脱可能に列で保持する保持部材とからなる、画像読取対象物に光を照射する光源部と、
該画像読取対象物の被読取面に沿って移動可能な、少なくとも該光源部を有する走行体と、
該画像読取対象物で反射した反射光を結像させるレンズ部材と、
該レンズ部材によって結像された該反射光によって該画像読取対象物を撮像する撮像手段とを備え、
該複数の光照射体は該保持部材に、該走行体の移動方向に対して直交する方向に列設されており、
該光照射体の列設方向の該光源部による照度分布が、該光照射体の列設方向の端部よりも該光照射体の列設方向の中央部が低くなるように、該複数の光照射体間で光量が異なる該発光素子を設けたことを特徴とする画像読取装置。
【請求項５】
発光素子をそれぞれ有した複数の光照射体と、該複数の光照射体を着脱可能に列で保持する保持部材とからなる、画像読取対象物に光を照射する光源部と、
該画像読取対象物の被読取面に沿って移動可能な、少なくとも該光源部を有する走行体と、
該画像読取対象物で反射した反射光を結像させるレンズ部材と、
該レンズ部材によって結像された該反射光によって該画像読取対象物を撮像する撮像手段とを備え、
該複数の光照射体は該保持部材に、該走行体の移動方向に対して直交する方向に列設されており、
該光照射体の列設方向の該光源部による照度分布が、該光照射体の列設方向の端部よりも該光照射体の列設方向の中央部が低くなるように、該光照射体が実装する該発光素子の数を、該複数の光照射体間で異ならせて構成したことを特徴とする画像読取装置。
【請求項６】
発光素子をそれぞれ有した複数の光照射体と、該複数の光照射体を着脱可能に列で保持する保持部材とからなる、画像読取対象物に光を照射する光源部と、
該画像読取対象物の被読取面に沿って移動可能な、少なくとも該光源部を有する走行体と、
該画像読取対象物で反射した反射光を結像させるレンズ部材と、
該レンズ部材によって結像された該反射光によって該画像読取対象物を撮像する撮像手段とを備え、
該複数の光照射体は該保持部材に、該走行体の移動方向に対して直交する方向に列設されており、
該光照射体の列設方向の該光源部による照度分布が、該光照射体の列設方向の端部よりも該光照射体の列設方向の中央部が低くなるように、該光照射体に対する該発光素子の配置位置を該複数の光照射体間で異ならせて構成したことを特徴とする画像読取装置。
【請求項７】
請求項１、２、３、４、５または６の画像読取装置において、
上記光照射体はネジ部材によって上記保持部材に対し着脱可能に保持されるように構成したことを特徴とする画像読取装置。
【請求項８】
請求項１、２、３、４、５または６の画像読取装置において、
上記保持部材は上記複数の光照射体と個々で接続可能な複数の接続部材を有しており、
該光照射体が該接続部材を介して該保持部材に対し着脱可能に保持されるように構成したことを特徴とする画像読取装置。
【請求項９】
請求項１、２、３、４、５、６、７または８の画像読取装置において、
上記画像読取対象物を平面的に定置するガラス部材を有し、
画像読取動作時以外に上記走行体を該ガラス部材と対向する位置に移動して、上記光源部を点灯するモードを備えることを特徴とする画像読取装置。
【請求項１０】
請求項９の画像読取装置において、
上記複数の光照射体は、それぞれ独立して点灯可能なように構成されていることを特徴とする画像読取装置。
【請求項１１】
請求項９または１０の画像読取装置において、
上記モード中の該発光素子の発光出力が、画像読取動作時の該発光出力よりも低くなるように構成したことを特徴とする画像読取装置。
【請求項１２】
請求項９、１０または１１の画像読取装置において、
上記モードの実行の指示を入力する入力部を備えることを特徴とする画像読取装置。
【請求項１３】
画像読取対象物から画像に関する情報を読み取る画像読取手段と、
該画像読取手段が読み取った該情報に基づいて画像を形成する画像形成手段とを備えた画像形成装置において、
該画像読取手段として、請求項１、２、３、４、５、６、７、８、９、１０、１１または１２の画像読取装置を設けたことを特徴とする画像形成装置。
【発明の詳細な説明】
【技術分野】
【０００１】
本発明は、画像が記録された原稿に光を照射して得た光学像を読み取るスキャナ等の画像読取装置、及びこれを備えた複写機やファクシミリ等の画像形成装置に関するものである。
【背景技術】
【０００２】
従来から、ＣＣＤ（Ｃｈａｒｇｅ  Ｃｏｕｐｌｅｄ  Ｄｅｖｉｃｅｓ）、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）等の撮像手段で撮像した、原稿の被読取面からの反射光に基づいて、その原稿の画像を読み取る画像読取装置が知られている。
図２７及び図２８は、従来の画像読取装置の一例を示したものであり、図２７は画像読取装置の断面概略構成図を示し、図２８にその画像読取装置の斜視図を示したものである。なお、第１キャリッジ１０３は、図２９に示すように光源として円筒形状のキセノンランプ１０４と、このキセノンランプ１０４からの照射光を前記被読取面に向けて反射して、被読取面での照度分布を良好なものにする図示しない反射ミラーと、後述する第１ミラー１０５などを備えている。
【０００３】
このような画像読取装置における前記原稿の画像の読み取り方法について説明する。まず、キセノンランプ１０４から照射した光を、前記反射ミラーを介してコンタクトガラス１０２上の図示しない原稿の被読取面に照射する。次に、この照射した光が前記被読取面で反射され、その反射した光が、前記反射ミラーとキセノンランプ１０４との間に入射し、第１ミラー１０５によって偏向される。次に、その偏向された光が図２７に示す第２キャリッジ１０６に設けられた第２ミラー１０７及び第３ミラー１０８によってさらに偏向され、その偏向さらた光が結像レンズ１０９によって撮像素子１１０で結像される。そして、このように撮像素子１１０上で結像された光を電気信号に変換することで、画像読取装置は前記原稿の画像を読み取ることができる。なお、このような画像読取装置のおいては、第１キャリッジ及び第２キャリッジが画像読取装置に設けられたレール上を副走査方向（図２７の矢印Ａ方向）に走行し、原稿の主走査方向（前記副走査方向に対して直交する方向）の画像を連続的に読み取ることで、原稿全体の画像を読み取ることができる。
【０００４】
ところが、光源としてキセノンランプを用いた場合、キセノンランプは消費電力が大きく発熱量も多いため、近年の省エネルギー化や画像読取装置の長寿命化等の要求に十分に応えることができない。そのため、キセノンランプよりも、消費電力が小さく発熱量が小さい光源が望まれている。このような光源としては、例えば、発光素子であるＬＥＤ（Ｌｉｇｈｔ  Ｅｍｉｔｔｉｎｇ  Ｄｉｏｄｅ）が利用可能である。しかし、ＬＥＤは、一般にキセノンランプに比べて照射強度が小さい。そのため、例えば特許文献１に記載の画像読取装置ように、図３０に示した一つの基板４０２上に複数のＬＥＤ４０１を前記主走査方向にアレイ状に列設し、前記被読取面での照度を上げるものが提案されている。
【０００５】
また、図２７に示した画像読取装置のように、原稿の被読取面を反射した反射光を結像レンズによって撮像素子上で結像する画像読取装置は、縮小光学系の画像読取装置として知られている。このような縮小光学系の画像読取装置では、前記結像レンズによる前記反射光の結像の際に、いわゆるｃｏｓ４乗則によって、図３１に示した実線のように前記被読取面での前記主走査方向の照度がフラットであったとしても、図３１に示した破線のように前記撮像素子上では前記主走査方向の端部ほど照度が低下する。つまり、縮小光学系の画像読取装置では、前記撮像素子上で前記主走査方向の中央部と端部とに照度差が生じてしまう。さらに、この照度差は画像の濃度差として表れてしまう。
【０００６】
そのため、従来より、例えば図２７に示す位置に図３２のような形状の補正部材１１１を配置して、結像レンズ１０９を通過する前の前記中央部の前記反射光の一部を遮蔽することにより前記中央部での光量を低下させ、前記照度差が生じないように構成した画像読取装置が提案されている。
【０００７】
【特許文献１】特開２００６−２５３０３号公報
【発明の開示】
【発明が解決しようとする課題】
【０００８】
しかしながら、前述したような補正部材を用いて前記端部の光量低下分を補正するような構成にした場合には、以下のような種々の問題が生じる。
つまり、前記補正部材によって前記反射光の前記中央部の光量を低下させるので光量の損失は避けられず、その損失を見越した分の光量が必要となる。そのため、光源にＬＥＤを用いた場合には、ＬＥＤに大きな電流を流して光量を上げる構成や、基板上でのＬＥＤの設置密度を高くし、前記基板上のＬＥＤ数を増やすことで光量を上げる構成などが考えられる。ところが、前記構成などにすることにより、ＬＥＤが通常よりも発熱し、実使用耐熱温度を超えたところでの使用によるＬＥＤの早期劣化や故障などが生じたり、実使用耐熱温度を超えない範囲でも常時高温での使用によるＬＥＤの寿命の短命化を引き起こしてしまうという問題が生じる。
また、前記基板上に設置したＬＥＤが一個でも点灯しなくなってしまうと、特許文献１に記載の画像読取装置のように、一つの基板上に複数のＬＥＤを主走査方向にアレイ状に並べて配置した構成では、前記基板ごと、つまり、使用可能なＬＥＤも含めて全てのＬＥＤを交換することになる。そのため、まだ使用可能なＬＥＤまでもが交換されてしまい、無駄が発生してしまうといった問題が生じる。
【０００９】
本発明は、以上の問題に鑑みなされたものであり、その目的とするところは、前記補正部材を使用せずに前記結像レンズを通った前記反射光の前記中央部と前記端部とに照度差が生じるのを抑制し、且つ、まだ使用可能なＬＥＤまでもが必要以上にに交換されるのを抑制できる画像読取装置、及び、その画像読取装置を備えた画像形成装置を提供することである。
【課題を解決するための手段】
【００１０】
上記目的を達成するために、請求項１の発明は、発光素子をそれぞれ有した複数の光照射体と、該複数の光照射体を着脱可能に列で保持する保持部材とからなる、画像読取対象物に光を照射する光源部と、該画像読取対象物の被読取面に沿って移動可能な、少なくとも該光源部を有する走行体と、該画像読取対象物で反射した反射光を結像させるレンズ部材と、該レンズ部材によって結像された該反射光によって該画像読取対象物を撮像する撮像手段とを備え、該複数の光照射体は該保持部材に、該走行体の移動方向に対して直交する方向に列設されており、該光照射体の列設方向の該光源部による照度分布が、該光照射体の列設方向の端部よりも該光照射体の列設方向の中央部のほうが低くなるように、該保持部材における該光照射体の列設方向での該光照射体の配列密度を前記端部よりも前記中央部を低くして、該複数の光照射体を該保持部材上に配置したことを特徴とするものである。
また、請求項２の発明は、発光素子をそれぞれ有した複数の光照射体と、該複数の光照射体を着脱可能に列で保持する保持部材とからなる、画像読取対象物に光を照射する光源部と、該画像読取対象物の被読取面に沿って移動可能な、少なくとも該光源部を有する走行体と、該画像読取対象物で反射した反射光を結像させるレンズ部材と、該レンズ部材によって結像された該反射光によって該画像読取対象物を撮像する撮像手段とを備え、該複数の光照射体は該保持部材に、該走行体の移動方向に対して直交する方向に列設されており、且つ、該光照射体の列設方向の該光源部による照度分布が、該光照射体の列設方向の端部よりも該光照射体の列設方向の中央部のほうが低くなるように該画像読取対象物に対する該光照射体の距離を該複数の光照射体間で異ならせて構成したことを特徴とするものである。
また、請求項３の発明は、発光素子をそれぞれ有した複数の光照射体と、該複数の光照射体を着脱可能に列で保持する保持部材とからなる、画像読取対象物に光を照射する光源部と、該画像読取対象物の被読取面に沿って移動可能な、少なくとも該光源部を有する走行体と、該画像読取対象物で反射した反射光を結像させるレンズ部材と、該レンズ部材によって結像された該反射光によって該画像読取対象物を撮像する撮像手段とを備え、該複数の光照射体は該保持部材に、該走行体の移動方向に対して直交する方向に列設されており、該光照射体の列設方向の該光源部による照度分布が、該光照射体の列設方向の端部よりも該光照射体の列設方向の中央部が低くなるように、該光照射体に流す電流量を該複数の光照射体間で異ならせることを特徴とするものである。
また、請求項４の発明は、発光素子をそれぞれ有した複数の光照射体と、該複数の光照射体を着脱可能に列で保持する保持部材とからなる、画像読取対象物に光を照射する光源部と、該画像読取対象物の被読取面に沿って移動可能な、少なくとも該光源部を有する走行体と、該画像読取対象物で反射した反射光を結像させるレンズ部材と、該レンズ部材によって結像された該反射光によって該画像読取対象物を撮像する撮像手段とを備え、該複数の光照射体は該保持部材に、該走行体の移動方向に対して直交する方向に列設されており、該光照射体の列設方向の該光源部による照度分布が、該光照射体の列設方向の端部よりも該光照射体の列設方向の中央部が低くなるように、該複数の光照射体間で光量が異なる該発光素子を設けたことを特徴とするものである。
また、請求項５の発明は、発光素子をそれぞれ有した複数の光照射体と、該複数の光照射体を着脱可能に列で保持する保持部材とからなる、画像読取対象物に光を照射する光源部と、該画像読取対象物の被読取面に沿って移動可能な、少なくとも該光源部を有する走行体と、該画像読取対象物で反射した反射光を結像させるレンズ部材と、該レンズ部材によって結像された該反射光によって該画像読取対象物を撮像する撮像手段とを備え、該複数の光照射体は該保持部材に、該走行体の移動方向に対して直交する方向に列設されており、該光照射体の列設方向の該光源部による照度分布が、該光照射体の列設方向の端部よりも該光照射体の列設方向の中央部が低くなるように、該光照射体が実装する該発光素子の数を、該複数の光照射体間で異ならせて構成したことを特徴とするものである。
また、請求項６の発明は、発光素子をそれぞれ有した複数の光照射体と、該複数の光照射体を着脱可能に列で保持する保持部材とからなる、画像読取対象物に光を照射する光源部と、該画像読取対象物の被読取面に沿って移動可能な、少なくとも該光源部を有する走行体と、該画像読取対象物で反射した反射光を結像させるレンズ部材と、該レンズ部材によって結像された該反射光によって該画像読取対象物を撮像する撮像手段とを備え、該複数の光照射体は該保持部材に、該走行体の移動方向に対して直交する方向に列設されており、該光照射体の列設方向の該光源部による照度分布が、該光照射体の列設方向の端部よりも該光照射体の列設方向の中央部が低くなるように、該光照射体に対する該発光素子の配置位置を該複数の光照射体間で異ならせて構成したことを特徴とするものである。
また、請求項７の発明は、請求項１、２、３、４、５または６の画像読取装置において、上記光照射体はネジ部材によって上記保持部材に対し着脱可能に保持されるように構成したことを特徴とするものである。
また、請求項８の発明は、請求項１、２、３、４、５または６の画像読取装置において、上記保持部材は上記複数の光照射体と個々で接続可能な複数の接続部材を有しており、該光照射体が該接続部材を介して該保持部材に対し着脱可能に保持されるように構成したことを特徴とするものである。
また、請求項９の発明は、請求項１、２、３、４、５、６、７または８の画像読取装置において、上記画像読取対象物を平面的に定置するガラス部材を有し、画像読取動作時以外に上記走行体を該ガラス部材と対向する位置に移動して、上記光源部を点灯するモードを備えることを特徴とするものである。
また、請求項１０の発明は、請求項９の画像読取装置において、上記複数の光照射体は、それぞれ独立して点灯可能なように構成されていることを特徴とするものである。
また、請求項１１の発明は、請求項９または１０の画像読取装置において、上記モード中の該発光素子の発光出力が、画像読取動作時の該発光出力よりも低くなるように構成したことを特徴とするものである。
また、請求項１２の発明は、請求項９、１０または１１の画像読取装置において、上記モードの実行の指示を入力する入力部を備えることを特徴とするものである。
また、請求項１３の発明は、画像読取対象物から画像に関する情報を読み取る画像読取手段と、該画像読取手段が読み取った該情報に基づいて画像を形成する画像形成手段とを備えた画像形成装置において、該画像読取手段として、請求項１、２、３、４、５、６、７、８、９、１０、１１または１２の画像読取装置を設けたことを特徴とするものである。
【００１１】
本発明においては、前記画像読取対象物における前記光照射体の列設方向の前記光源部による照度分布が、前記光照射体の列設方向の端部よりも前記光照射体の列設方向の中央部のほうが低くなるようにしている。これにより、前記レンズ部材を通過した前記反射光の前記中央部と前記端部とに照度差が生じないような前記照度分布を調整が可能となるので、上記背景技術で述べた前記補正部材を用いることなく、前記撮像手段上での前記光照射体の列設方向の照度をフラットにすることができる。よって、このように前記補正部材を使用しないため、前記発光素子に大きな電流を流し光量を上げる必要がないので、前記発光素子が異常に発熱することがなく、前記発光素子の短命化を抑制することができる。さらに、前記光源部では、複数の前記光照射体を前記保持部材上に着脱可能に設けているので、点灯しなくなった前記発光素子があったとしても、その発光素子が配置された前記光照射体のみを交換することができる。よって、まだ使用可能な発光素子までもが無駄に交換されるのを抑制することができる。
【発明の効果】
【００１２】
以上、本発明によれば、前記補正部材を使用せずに前記レンズ部材を通った前記反射光の前記光照射体の列設方向の前記中央部と前記端部とに照度差が生じるのを抑制し、且つ、まだ使用可能な前記発光素子が無駄に交換されるのを抑制できるという優れた効果がある。
【発明を実施するための最良の形態】
【００１３】
［実施形態１］
以下、本発明を、電子写真方式の画像形成装置である複写機（以下、単に複写機という）に適用した一実施形態について説明する。
まず、本実施形態に係る複写機の基本的な構成について説明する。図２は、本複写機を示す概略構成図である。この複写機は、画像形成部１と、白紙供給装置４０と、原稿搬送読取ユニット５０とを備えている。原稿搬送読取ユニット５０は、画像形成部１の上に固定された画像読取装置たるスキャナ１５０と、これに支持される原稿搬送装置たるＡＤＦ５１とを有している。
【００１４】
白紙供給装置４０は、ペーパーバンク４１内に多段に配設された２つの給紙カセット４２、給紙カセット４２から記録材たる記録紙を送り出す送出ローラ４３、送り出された記録紙を分離して給紙路４４に供給する分離ローラ４５等を有している。また、複写機の給紙路３７に記録紙を搬送する複数の搬送ローラ４６等も有している。そして、給紙カセット４２内の記録紙を複写機内の給紙路３７内に給紙する。
【００１５】
複写機は、光書込装置２や、Ｋ，Ｙ，Ｍ，Ｃ色のトナー像を形成する４つのプロセスユニット３Ｋ，３Ｙ，３Ｍ，３Ｃ、転写ユニット２４、紙搬送ユニット２８、レジストローラ対３３、定着装置３４、スイッチバック装置３６、給紙路３７等を備えている。そして、光書込装置２内に配設された図示しないレーザーダイオードやＬＥＤ等の光源を駆動して、プロセスユニット３Ｋ，３Ｙ，３Ｍ，３Ｃの感光体４Ｋ，４Ｙ，４Ｍ，４Ｃに向けてレーザー光Ｌを照射する。この照射により、ドラム状の感光体４Ｋ，４Ｙ，４Ｍ，４Ｃの表面には静電潜像が形成され、この潜像は所定の現像プロセスを経由してトナー像に現像される。なお、符号の後に付されたＫ，Ｙ，Ｍ，Ｃという添字は、ブラック，イエロー，マゼンタ，シアン用の仕様であることを示している。
【００１６】
図３は、複写機の内部構成の一部を拡大して示す部分拡大構成図である。同図において、プロセスユニット３Ｋ，３Ｙ，３Ｍ，３Ｃは、それぞれ、感光体とその周囲に配設される各種装置とを１つのユニットとして共通の支持体に支持するものであり、複写機本体に対して着脱可能になっている。ブラック用のプロセスユニット３Ｋを例にすると、これは、感光体４Ｋの他、これの表面に形成された静電潜像をブラックトナー像に現像するための現像装置６Ｋを有している。また、後述するＫ用の１次転写ニップを通過した後の感光体４Ｋ表面に付着している転写残トナーをクリーニングするドラムクリーニング装置１５Ｋなども有している。本複写機では、４つのプロセスユニット３Ｋ，３Ｙ，３Ｍ，３Ｃを、後述する中間転写ベルト２５に対してその無端移動方向に沿って並べるように対向配設したいわゆるタンデム型の構成になっている。
【００１７】
図４は、４つのプロセスユニット３Ｋ，３Ｙ，３Ｍ，３Ｃからなるタンデム部の一部を示す部分拡大図である。４つのプロセスユニット３Ｋ，３Ｙ，３Ｍ，３Ｃは、それぞれ使用するトナーの色が異なる他は同様の構成になっているので、同図においては各符号に付すＫ，Ｙ，Ｍ，Ｃという添字を省略している。同図に示すように、プロセスユニット３は、感光体４の周りに、帯電装置２３、現像装置６、ドラムクリーニング装置１５、除電ランプ２２等を有している。
【００１８】
感光体４としては、アルミニウム等の素管に、感光性を有する有機感光材の塗布による感光層を形成したドラム状のものを用いている。但し、無端ベルト状のものを用いても良い。
【００１９】
現像装置６は、図示しない磁性キャリアと非磁性トナーとを含有する二成分現像剤を用いて潜像を現像するようになっている。そして、内部に収容している二成分現像剤を攪拌しながら搬送して現像スリーブ１２に供給する攪拌部７と、現像スリーブ１２に担持された二成分現像剤中のトナーを感光体４に転移させるための現像部１１とを有している。
【００２０】
攪拌部７は、現像部１１よりも低い位置に設けられており、互いに平行配設された２本の搬送スクリュウ８、これらスクリュウ間に設けられた仕切り板、現像ケース９の底面に設けられたトナー濃度センサ１０などを有している。
【００２１】
現像部１１は、現像ケース９の開口を通して感光体４に対向する現像スリーブ１２、これの内部に回転不能に設けられたマグネットローラ１３、現像スリーブ１２に先端を接近させるドクタブレード１４などを有している。現像スリーブ１２は、非磁性の回転可能な筒状になっている。マグネットローラ１３は、スリーブの回転方向に沿って並ぶ複数の磁極を有している。これら磁極は、それぞれスリーブ上の二成分現像剤に対して回転方向の所定位置で磁力を作用させる。これにより、攪拌部７から送られてくる二成分現像剤を現像スリーブ１２表面に引き寄せて担持させるとともに、スリーブ表面上で磁力線に沿った磁気ブラシを形成する。
【００２２】
この磁気ブラシは、現像スリーブ１２の回転に伴ってドクタブレード１４との対向位置を通過する際に適正な層厚に規制されてから、感光体４に対向する現像領域に搬送される。そして、現像スリーブ１２に印加される現像バイアスと、感光体４の静電潜像との電位差によってトナーを静電潜像上に転移させて現像に寄与する。更に、現像スリーブ１２の回転に伴って再び現像部１１内に戻り、マグネットローラ１３の磁極間に形成される反発磁界の影響によってスリーブ表面から離脱した後、攪拌部７内に戻される。攪拌部７内には、トナー濃度センサ１０による検知結果に基づいて、二成分現像剤に適量のトナーが補給される。なお、現像装置６として、二成分現像剤を用いるものの代わりに、磁性キャリアを含まない一成分現像剤を用いるものを採用してもよい。
【００２３】
ドラムクリーニング装置１５としては、ポリウレタンゴム製のクリーニングブレード１６を感光体４に押し当てる方式のものを用いているが、他の方式のものを用いてもよい。クリーニング性を高める目的で、本例では、外周面を感光体４に接触させる接触導電性のファーブラシ１７を、図中矢印方向に回転自在に有する方式のものを採用している。このファーブラシ１７は、図示しない固形潤滑剤から潤滑剤を掻き取って微粉末にしながら感光体４表面に塗布する役割も兼ねている。ファーブラシ１７にバイアスを印加する金属製の電界ローラ１８を図中矢示方向に回転自在に設け、これにスクレーパ１９の先端を押し当てている。ファーブラシ１７に付着したトナーは、ファーブラシ１７に対してカウンタ方向に接触して回転しながらバイアスが印加される電界ローラ１８に転位する。そして、スクレーパ１９によって電界ローラ１８から掻き取られた後、回収スクリュウ２０上に落下する。回収スクリュウ２０は、回収トナーをドラムクリーニング装置１５における図紙面と直交する方向の端部に向けて搬送して、外部のリサイクル搬送装置に受け渡す。リサイクル搬送装置は、受け渡されたトナーを現像装置１５に送ってリサイクルする。
【００２４】
除電ランプ２２は、光照射によって感光体４を除電する。除電された感光体４の表面は、帯電装置５によって一様に帯電せしめられた後、光書込装置２による光書込処理がなされる。なお、帯電装置５としては、帯電バイアスが印加される帯電ローラを感光体４に当接させながら回転させるものを用いている。感光体４に対して非接触で帯電処理を行うスコロトロンチャージャ等を用いてもよい。
【００２５】
先に示した図３において、４つのプロセスユニット３Ｋ，３Ｙ，３Ｍ，３Ｃの感光体４Ｋ，４Ｙ，４Ｍ，４Ｃには、これまで説明してきたプロセスによって４Ｋ，４Ｙ，４Ｍ，４Ｃトナー像が形成される。
【００２６】
４つのプロセスユニット３Ｋ，３Ｙ，３Ｍ，３Ｃの下方には、転写ユニット２４が配設されている。この転写ユニット２４は、複数のローラによって張架した中間転写ベルト２５を、感光体４Ｋ，４Ｙ，４Ｍ，４Ｃに当接させながら図中時計回り方向に無端移動させる。これにより、感光体４Ｋ，４Ｙ，４Ｍ，４Ｃと中間転写ベルト２５とが当接するＫ，Ｙ，Ｍ，Ｃ用の１次転写ニップが形成されている。Ｋ，Ｙ，Ｍ，Ｃ用の１次転写ニップの近傍では、ベルトループ内側に配設された１次転写ローラ２６Ｋ，２６Ｙ，２６Ｍ，２６Ｃによって中間転写ベルト２５を感光体４Ｋ，４Ｙ，４Ｍ，４Ｃに向けて押圧している。これら１次転写ローラ２６Ｋ，２６Ｙ，２６Ｍ，２６Ｃには、それぞれ図示しない電源によって１次転写バイアスが印加されている。これにより、Ｋ，Ｙ，Ｍ，Ｃ用の１次転写ニップには、感光体４Ｋ，４Ｙ，４Ｍ，４Ｃ上のトナー像を中間転写ベルト２５に向けて静電移動させる１次転写電界が形成されている。図中時計回り方向の無端移動に伴ってＫ，Ｙ，Ｍ，Ｃ用の１次転写ニップを順次通過していく中間転写ベルト２５のおもて面には、各１次転写ニップでトナー像が順次重ね合わせて１次転写される。この重ね合わせの１次転写により、中間転写ベルト２５のおもて面には４色重ね合わせトナー像（以下、４色トナー像という）が形成される。
【００２７】
転写ユニット２４の図中下方には、駆動ローラ３０と２次転写ローラ３１との間に、無端状の紙搬送ベルト２９を掛け渡して無端移動させる紙搬送ユニット２８が設けられている。そして、自らの２次転写ローラ３１と、転写ユニット２４の下部張架ローラ２７との間に、中間転写ベルト２５及び紙搬送ベルト２９を挟み込んでいる。これにより、中間転写ベルト２５のおもて面と、紙搬送ベルト２９のおもて面とが当接する２次転写ニップが形成されている。２次転写ローラ３１には図示しない電源によって２次転写バイアスが印加されている。一方、転写ユニット２４の下部張架ローラ２７は接地されている。これにより、２次転写ニップに２次転写電界が形成されている。
【００２８】
この２次転写ニップの図中右側方には、レジストローラ対３３が配設されており、ローラ間に挟み込んだ記録紙を中間転写ベルト２５上の４色トナー像に同期させ得るタイミングで２次転写ニップに送り出す。２次転写ニップ内では、中間転写ベルト２５上の４色トナー像が２次転写電界やニップ圧の影響によって記録紙に一括２次転写され、記録紙の白色と相まってフルカラー画像となる。２次転写ニップを通過した記録紙は、中間転写ベルト２５から離間して、紙搬送ベルト２９のおもて面に保持されながら、その無端移動に伴って定着装置３４へと搬送される。
【００２９】
２次転写ニップを通過した中間転写ベルト２５の表面には、２次転写ニップで記録紙に転写されなかった転写残トナーが付着している。この転写残トナーは、中間転写ベルト２５に当接するベルトクリーニング装置によって掻き取り除去される。
【００３０】
定着装置３４に搬送された記録紙は、定着装置３４内における加圧や加熱によってフルカラー画像が定着させしめられた後、定着装置３４から排紙ローラ対３５に送られた後、機外へと排出される。
【００３１】
先に示した図２において、紙搬送ユニット２２および定着装置３４の下には、スイッチバック装置３６が配設されている。これにより、片面に対する画像定着処理を終えた記録紙が、切換爪で記録紙の進路を記録紙反転装置側に切り換えられ、そこで反転されて再び２次転写転写ニップに進入する。そして、もう片面にも画像の２次転写処理と定着処理とが施された後、排紙トレイ上に排紙される。
【００３２】
複写機の上に固定されたスキャナ１５０は、固定読取部１５１と、移動読取部１５２とを有している。光源、反射ミラー、ＣＣＤなどを有する固定読取部１５１は、原稿ＭＳに接触するようにスキャナ１５０のケーシング上壁に固定された図示しない第１コンタクトガラスの直下に配設されている。そして、ＡＤＦ５１によって搬送される原稿ＭＳが第１コンタクトガラス上を通過する際に、光源から発した光を原稿面で順次反射させながら、複数の反射ミラーを経由させて撮像手段たるＣＣＤ２２１で受光する。これにより、光源や反射ミラー等からなる光学系を移動させることなく、原稿ＭＳを読み取る。なお、以下、ＡＤＦ５１による原稿搬送を行いながら固定読取部１５１によって原稿ＭＳの画像を読み取る制御を、スルー読取制御という。
【００３３】
一方、移動読取部１５２は、原稿ＭＳに接触するようにスキャナ１５０のケーシング上壁に固定された図示しない第２コンタクトガラスの直下であって、固定読取部１５１の図中右側方に配設されており、光源や、反射ミラーなどからなる移動光学系を図中左右方向に移動させることができる。そして、移動光学系を図中左側から右側に移動させていく過程で、光源から発した光を第２コンタクトガラス上に載置された図示しない原稿で反射させる。この反射によって得られた光学像は、複数の反射ミラーと、スキャナ本体に固定された結像レンズとを経由した後、撮像手段たるＣＣＤ２２１によって読み取られる。このように、移動読取部１５２は、移動光学系を移動させながら、第２コンタクトガラス上で静止している原稿ＭＳの画像を読み取る。
【００３４】
スキャナ１５０の上に配設されたＡＤＦ５１は、本体カバー５２に、読取前の原稿ＭＳを載置するための原稿載置台５３、原稿ＭＳを搬送するための搬送ユニット５４、読取後の原稿ＭＳをスタックするための原稿スタック台５５などを保持している。図５に示すように、スキャナ１５０に固定された蝶番１５９によって上下方向に揺動可能に支持されている。そして、その揺動によって開閉扉のような動きをとり、開かれた状態でスキャナ１５０の上面の第１コンタクトガラス１５４や第２コンタクトガラス１５５を露出させる。原稿束の片隅を綴じた本などの片綴じ原稿の場合には、原稿を１枚ずつ分離することができないため、ＡＤＦによる搬送を行うことができない。そこで、片綴じ原稿の場合には、ＡＤＦ５１を図５に示すように開いた後、読み取らせたいページが見開かれた片綴じ原稿を下向きにして第２コンタクトガラス１５５上に載せた後、ＡＤＦを閉じる。そして、図２に示したスキャナ１５０の移動読取部１５２によってそのページの画像を読み取らせる。
【００３５】
一方、互いに独立した複数の原稿ＭＳを単に積み重ねた原稿束の場合には、その原稿ＭＳをＡＤＦ５１によって１枚ずつ自動搬送しながら、スキャナ１５０の固定読取部１５１に順次読み取らせていくことができる。この場合、原稿束を原稿載置台５３上にセットした後、操作部１４０のコピースタートボタンを押す。すると、ＡＤＦ５１が、原稿載置台５３上に載置された原稿束の原稿ＭＳを上から順に搬送ユニット５４内に送り、それを反転させながら原稿スタック台５５に向けて搬送する。この搬送の過程で、原稿ＭＳを反転させた直後にスキャナ１５０の固定読取部１５１の真上に通す。このとき、原稿ＭＳの画像がスキャナ１５０の固定読取部１５１によって読み取られる。
【００３６】
次に、スキャナ部１５０のうち、移動読取部について、図６、図７を用いて説明する。
図６は、スキャナ１５０の移動読取部（図２の１５２）を斜め上方から示した斜視図である。なお、便宜上、上述の第２コンタクトガラス１５５の図示を省略している。図７は、スキャナ１５０の移動読取部をその側方から示す拡大構成図である。図に示すように、スキャナ１５０の筐体１６０内には、第１キャリッジ１６２、第２キャリッジ１６３が設けられている。第１キャリッジ１６２は、複数の発光素子たる発光ダイオード（以下、ＬＥＤ）４０１がアレイ状に配列された光源部１９０と、第１ミラー１６２ｂとを備えている。なお、第１キャリッジ１６２の詳細については、後述する。第２キャリッジ１６３は、第２ミラー１６３ａと、第３ミラー１６３ｂとを備えている。
【００３７】
スキャナ１５０の筐体１６０内には、図示しないが、その長手方向に延在する２本の金属製の第１レールが短手方向に所定の間隔をあけて固定されており、２本の第１レールの間に、第１キャリッジ１６２が架け渡されており、第１レール上でその長手方向に沿って走行できるようになっている。これら第１レールよりも鉛直方向の下方には、筐体長手方向に延在する図示しない２本の金属製の第２レールが筐体短手方向に所定の間隔をあけて固定されている。図示しない２本の第２レールの間には、第２キャリッジ１６３が架け渡されており、第２レール上でその長手方向に沿って走行できるようになっている。
また、筐体１６０には、金属製の梁板１６４が固定されており、金属製の梁板１６４には、その上面にネジ固定された結像レンズ２００を備えたレンズユニット２１０や、これに固定されたＣＣＤ２２１を備えた電子回路基板たるスキャナボードユニット２２０（以下、ＳＢＵ２２０という）を支持している。
【００３８】
図６に示すように、図中右上には、駆動モータ１７０が設けられており、駆動モータ１７０の駆動ギヤと噛み合う従動ギヤ１７１の回転軸には、駆動タイミングプーリ１７２が固定されている。また、図中右側の筐体内の長手方向一端部には、回転軸１７３が回転可能に支持されている。回転軸１７３の一端部には、従動タイミングプーリ１７４が固定され、駆動タイミングプーリ１７２と従動タイミングプーリ１７４とに駆動タイミングベルト１７５が張架されている。また、回転軸１７３の両端部付近には、第１プーリ１８０が固定されている。そして、図中左側の筐体内の長手方向他端部の短手方向に所定の間隔を開けて２個の第２プーリ１８１が回転可能に支持されており、第１プーリ１８０と第２プーリ１８１とに第１タイミングベルト１８２が張架されている。
【００３９】
第２キャリッジ１６３は、第２ミラー１６３ａ、第３ミラー１６３ｂの主走査方向両端を支持する一対のミラーステー部１６３ｃと、このミラーステー部１６３ｃからそれぞれ第１キャリッジ側に延びるアーム部１６３ｄとを有している。また、ミラーステー部１６３ｃの筐体側面側には、第３プーリ１８３が回転可能に支持されている。また、アーム部１６３ｄの先端にはブラケット１６３ｅが設けられており、このブラケット１６３ｅに第４プーリ１８４が回転可能に支持されている。第３プーリ１８３、第４プーリ１８４には、第２タイミングベルト１８５が張架されており、この第２タイミングベルト１８５の一部は、図示しない固定部材によって筐体１６０の底部に固定されている。
【００４０】
また、第１タイミングベルト１８２、第２タイミングベルト１８５は、第１キャリッジ１６２の底部にそれぞれ固定されている。
【００４１】
画像読取がスタートすると、光源部１９０によって図示しない原稿ＭＳに対して光を照射する。また、駆動モータ１７０が駆動して、駆動モータ１７０の回転駆動力が、駆動タイミングベルト１７５を介して回転軸１７３に伝達され、回転軸１７３が回転する。回転軸１７３が回転することで、第１タイミングベルト１８２が図中時計回りに回転する。これにより、第１タイミングベルト１８２に固定されている第１キャリッジ１６２が図中左側から右側へ移動する。また、第１キャリッジ１６２が移動すると、第１キャリッジ１６２に固定された第２タイミングベルト１８５が、図中右側へ移動する。第２タイミングベルト１８５の一部は、筐体１６０の底部に固定されているため、第２タイミングベルト１８５は、その場で回転するのではなく、第２キャリッジ１６３の図中右側への移動を伴いながら回転する。ここで、第３、第４プーリ１８３、１８４の径は、第１、第２プーリの径の２倍となっているため、第２キャリッジ１６３は、第１キャリッジ１６２の１／２の速度で、図中右側へ移動する。このように、第２キャリッジ１６３は、第１キャリッジ１６２の半分の速度で第１キャリッジと同方向へ移動することで、原稿面から結像レンズ２００までの光束の光路長が変化しないようになっている。
【００４２】
駆動モータ１７０を制御する制御部は、ホストコンピュータから送られてくる１ライン毎の画像読取要求信号に応じて駆動モータ１７０を制御して、第２キャリッジ１６３と第１キャリッジ１６２との移動速度を制御している。
【００４３】
第１、第２キャリッジ１６２、１６３を図中左側から右側に２：１の速度比で移動させていく過程で、光源部１９０から発した光を第２コンタクトガラス１５５上に載置された図示しない原稿ＭＳで反射させる。この反射によって得られた光学像は、第１ミラー１６２ｂ、第２ミラー１６３ａ、第３ミラー１６３ｃを介して、結像レンズ２００に導かれ、撮像手段であるＣＣＤ２２１上に結像される。
【００４４】
ＣＣＤ２２１は、結像された原稿ＭＳの反射光像を光電変換して読取画像であるアナログ画像信号を出力する。そして、第１、第２キャリッジ１６２、１６３が図７の点線に示す位置まで移動したら、原稿ＭＳの読み取りを終了し、第１キャリッジ１６２と第２キャリッジ１６３は図中実線で示すホームポジション位置に復動する。なお、ＣＣＤ２２１から出力されたアナログ画像信号は、アナログ／デジタル変換器によりデジタル画像信号に変換され、画像処理回路を搭載した回路基板において、各々の画像処理（２値化、多値化、階調処理、変倍処理、編集処理など）が施される。
【００４５】
図８は、従来の画像読取装置における第１キャリッジ１６２の光源部１９０付近の拡大構成図であり、図９は、その光源部１９０の斜視図である。図に示すように、光源部１９０は、発光素子である複数のＬＥＤ４０１を平板状部材としての回路基板であるＬＥＤアレイ基板１９１上に一列に配置させたＬＥＤアレイ４００を有している。ＬＥＤアレイ基板１９１は、その長手方向が、第１キャリッジ１６２の走行方向に対して直交する方向であって略水平方向に延びるように、すなわち、原稿ＭＳの主走査方向に延びるように配置される。複数のＬＥＤ４０１は、ＬＥＤアレイ基板１９１上に前記主走査方向に沿って一列に並んで配置されている。ＬＥＤアレイ基板１９１には、各ＬＥＤ４０１に電力を供給するための図示しない配線パターン及び各種回路素子が形成されている。ＬＥＤ１９２は、その発光面がＬＥＤアレイ基板１９１の基板面に対して垂直な方向を向くように、ＬＥＤアレイ基板１９１上に配置されている。したがって、ＬＥＤ４０１の発光面から照射される光の中心線方向は、ＬＥＤアレイ基板１９１の基板面に対してほぼ平行な方向となる。
このＬＥＤアレイ基板１９１は、第２コンタクトガラス１５５に対して傾斜した設置台４０３に設置されており、ＬＥＤの発光面が第２コンタクトガラス１５５に対して傾斜するように第１キャリッジ１６２に設置されている。
【００４６】
次に、本実施形態の特徴部分について説明する。
従来の画像読取装置のように、一つのＬＥＤアレイ基板１９１上に複数のＬＥＤ４０１を前記主走査方向に設置してＬＥＤアレイ４００とした場合、そのＬＥＤアレイ４００のＬＥＤアレイ基板１９１上に配置したＬＥＤ４０１が一個故障した際に、ＬＥＤアレイ４００ごと、つまり、故障していないＬＥＤ４０１も含めて全てのＬＥＤ４０１を取り替える必要がある。そこで、本実施形態においては、図１０のようにＬＥＤアレイ４００を複数個用意し、図１１に示すように設置台４０３上にそれらＬＥＤアレイ４００を設置している。また、各ＬＥＤアレイ４００にはそれぞれに対応したコネクタ４０４及びハーネスにより個別に電流を供給可能なようにし、故障したＬＥＤ４０１が配置されたＬＥＤアレイ４００のみを取り替えることが可能な構成にしている。なお、以下で述べる各構成例について特に断りがない場合は、各ＬＥＤアレイ４００に供給される電流の電流値は同じものとするが、言うまでもなく、各ＬＥＤ４００間で前記電流値を異ならせても構わない。また、ＬＥＤ４０１を実装したＬＥＤアレイ基板４０２は、設置台４０３にネジなどによって固定している。これにより、ＬＥＤアレイ４００を交換する際に工具としてドライバーを用いるだけで簡単にＬＥＤアレイ４００を設置台４０３から着脱することができるので、ＬＥＤアレイ４００交換作業の作業効率が向上する。
【００４７】
［構成例１］
構成例１では、図１２のように、各ＬＥＤアレイ４００間の設置台４０３における前記主走査方向での間隔が中央部でｌ１、端部でｌ２とした場合、ｌ１＞ｌ２になるように、つまり、前記主走査方向での前記間隔が前記端部よりも前記中央部が疎になるようにＬＥＤアレイ４００を設置台４０３上に配置している。このように、ＬＥＤアレイ４００を設置台４０３上に前述したような異なるピッチで配置することで、原稿面での前記主走査方向の前記端部の光量を前記中央部よりも大きくすることができ、原稿面における主走査方向の端部の照度がｃｏｓ４乗に反比例して高くなる。よって、ｃｏｓ４乗則により前記端部の照度が低下してもＣＣＤ２２１上では図１３のようにフラットな照度を得ることができる。なお、本構成例において、各ＬＥＤアレイ４００は同一のものを使用しているが、必ずしも同一のものを使用する必要はない。
【００４８】
また、本構成例では、画像読取以外のときに、第２コンタクトガラス１５５の原稿載置可能領域に第１キャリッジ１６２を移動させ、全てのＬＥＤ４０１を点灯させるモードを有している。なお、このモードは、操作部１４０に設けたボタンを押すだけで前記モードを実行させることができるようにしている。これにより、簡単な操作で前記モードを実行することができ、例えばユーザーによって、ＬＥＤ４０１の点灯の目視が可能な原稿載置可能領域に第１キャリッジ１６２を移動し、全てのＬＥＤ４０１を点灯することによって、ＬＥＤ４０１の故障個所を安易に見つけることができる。つまり、ＬＥＤアレイ４００へのアクセスが可能になるくらいまで、装置本体を分解せずにＬＥＤ４０１の故障箇所を特定することができる。また、各ＬＥＤアレイ４００は各々独立した電源ケーブルにより独立して電流を供給されているので、各ＬＥＤアレイ４００は各々独立して点灯可能となり、故障を確認する際にどのＬＥＤアレイ４００を交換すればよいのかを容易に判定することができる。
【００４９】
さらに、前記モード時、つまり、前記ＬＥＤ４０１の故障を目視で確認する場合などの画像読取動作以外のときに、第１キャリッジ１６２を前記原稿載置可能領域に移動させる際には、ＬＥＤ４０１の発光出力を通常の画像読取時動作のときよりも、かなり低めにしてＬＥＤ４０１を点灯するように構成しても良い。例えばＬＥＤ４０１の故障をユーザーやサービスマンが目視で確認しようとした際に、ＬＥＤ４０１の発光出力が通常読取時と同様の発光出力であったならば、ＬＥＤ４０１の発光出力が強すぎて、ユーザーやサービスマンの目がくらんだり、目を痛める恐れがある。前記目視によるＬＥＤ４０１の故障確認はＬＥＤ４０１が発光しているか否かの確認ができれば良いので、ＬＥＤ４０１の発光が確認できる程度にほんの軽くＬＥＤ４０１を点灯させるだけで良い。よって、画像読取動作以外のときにＬＥＤ４０１を発光させる際の出力を画像読取動作時よりも小さくすることによって、ＬＥＤ４０１の故障確認などでユーザーやサービスマンの目がくらんだり、目を痛める恐れがあるのを抑制することができる。
【００５０】
［構成例２］
構成例２では、図１４のように、複数個のＬＥＤアレイ４００が異なる原稿間距離で配置している。この場合、原稿面での主走査方向の原稿面照度がｃｏｓ４乗に反比例して端部で光量が高くなるように、設置台４０３における前記主走査方向の中央部のＬＥＤアレイ４００を第２コンタクトガラス１５５に設置した原稿ＭＳの原稿面から離し、前記端部のＬＥＤアレイ４００を第２コンタクトガラス１５５に設置した原稿ＭＳの原稿面に近づけて配置することが望ましい。また、本構成例では、光の照射方向が実装面に対して平行であるサイドビュータイプのＬＥＤを使用している。これにより、図１４のようにＬＥＤアレイ４００を保持する設置台４０３が原稿面に対して傾いた形状のものを用いることによって、設置台４０３のＬＥＤアレイ４００設置面の同一平面上で各ＬＥＤアレイ４００の設置位置を調節すれば良いので、非常に簡単な構成の光源部１９０となる。なお、当然ながら光の照射方向が実装面に対して垂直であるトップビュータイプのＬＥＤを用いてもの構わないが、この場合は、設置台４０３のＬＥＤ設置面と前記原稿面との距離が各ＬＥＤアレイ４００毎で異なるように、例えば階段状の設置台４０３を設けてやれば良い。なお、各ＬＥＤアレイ４００は同一のものを使用しているが、必ずしも同一のものを使用する必要はない。
【００５１】
また、本構成例においても、構成例１と同様に、操作部１４０に設けたボタンを押すことによって、画像読取以外のときに第２コンタクトガラス１５５の原稿載置可能領域に第１キャリッジ１６２を移動させ、全てのＬＥＤ４０１を点灯させるモードを実行可能なように構成している。さらに、前記モード時には構成例１と同様にＬＥＤ４０１の発光出力を画像読取動作時よりも小さくしている。なお、これらの詳しい説明は構成例１に記載しているので省略する。これにより、構成例１と同様に、非常に簡単にＬＥＤ４０１の故障確認を行うことができ、且つ、その確認作業時に作業者の目がくらんだり、目を痛める恐れがあるのを抑制することができる。
【００５２】
［構成例３］
構成例３では、図１５に示すように、各コネクタ４０４から各ＬＥＤアレイ４００に供給される電流の電流値を変化させ、設置台４０３における前記主走査方向の端部に設けたＬＥＤアレイ４００の光量が前記主走査方向の中央部に設けたＬＥＤアレイ４００の光量よりも大きくなるようにしている。なお、この場合、原稿面での前記主走査方向の照度がｃｏｓ４乗に反比例して前記端部で高くなるように、前記中央部のＬＥＤアレイ４００の電流値を前記端部のＬＥＤアレイ４００よりも低くすることが望ましい。このように、各ＬＥＤアレイ４００に供給する電流の電流値を前述したように異ならせることで、原稿面での前記主走査方向の照度が前記中央部よりも前記端部のほうが大きくなり、結像レンズのｃｏｓ４乗則により前記端部の光量が照度が低下してもＣＣＤ２２１上ではフラットな照度を得ることができる。なお、この場合、電流値の差による発光スペクトルが小さいＬＥＤ４０１を使用するほうが望ましい。なお、各ＬＥＤアレイ４００は同一のものを使用しているが、必ずしも同一のものを使用する必要はない。
【００５３】
また、本構成例においても、構成例１と同様に、操作部１４０に設けたボタンを押すことによって、画像読取以外のときに第２コンタクトガラス１５５の原稿載置可能領域に第１キャリッジ１６２を移動させ、全てのＬＥＤ４０１を点灯させるモードを実行可能なように構成している。さらに、前記モード時には構成例１と同様にＬＥＤ４０１の発光出力を画像読取動作時よりも小さくしている。なお、これらの詳しい説明は構成例１に記載しているので省略する。これにより、構成例１と同様に、非常に簡単にＬＥＤ４０１の故障確認を行うことができ、且つ、その確認作業時に作業者の目がくらんだり、目を痛める恐れがあるのを抑制することができる。
【００５４】
［構成例４］
構成例４では、図１６のように、設置台４０３における前記主走査方向の端部と中央部との各ＬＥＤアレイ４００間で実装するＬＥＤ４０１の光度ランクを変えている。この場合、原稿面での主走査方向の原稿面照度がｃｏｓ４乗に反比例して前記端部で光量が高くなるように前記中央部には光度ランクの低いＬＥＤ４０１を実装したＬＥＤアレイ４００を使用することが望ましい。なお、前記中央部と前記端部とで色度差が生じないように、色度ランク（発光スペクトル）は同じＬＥＤ４０１を使用すべきである。
【００５５】
また、本構成例においても、構成例１と同様に、操作部１４０に設けたボタンを押すことによって、画像読取以外のときに第２コンタクトガラス１５５の原稿載置可能領域に第１キャリッジ１６２を移動させ、全てのＬＥＤ４０１を点灯させるモードを実行可能なように構成している。さらに、前記モード時には構成例１と同様にＬＥＤ４０１の発光出力を画像読取動作時よりも小さくしている。なお、これらの詳しい説明は構成例１に記載しているので省略する。これにより、構成例１と同様に、非常に簡単にＬＥＤ４０１の故障確認を行うことができ、且つ、その確認作業時に作業者の目がくらんだり、目を痛める恐れがあるのを抑制することができる。
【００５６】
［構成例５］
構成例５では、図１７のように、設置台４０３における前記主走査方向の端部と中央部との各ＬＥＤアレイ４００間でＬＥＤ４０１の実装個数を変えている。この場合、原稿面での主走査方向の原稿面照度がｃｏｓ４乗に反比例して前記端部で光量が高くなるように前記中央部にはＬＥＤ４０１の実装個数が少ないＬＥＤアレイ４００を使用することが望ましい。なお、この場合、各ＬＥＤアレイ４００に流す電流値は抵抗値をＬＥＤアレイ４００毎に変える等により同じとし、発光スペクトルが前記端部と前記中央部とで異なることのないようにする。
【００５７】
また、本構成例においても、構成例１と同様に、操作部１４０に設けたボタンを押すことによって、画像読取以外のときに第２コンタクトガラス１５５の原稿載置可能領域に第１キャリッジ１６２を移動させ、全てのＬＥＤ４０１を点灯させるモードを実行可能なように構成している。さらに、前記モード時には構成例１と同様にＬＥＤ４０１の発光出力を画像読取動作時よりも小さくしている。なお、これらの詳しい説明は構成例１に記載しているので省略する。これにより、構成例１と同様に、非常に簡単にＬＥＤ４０１の故障確認を行うことができ、且つ、その確認作業時に作業者の目がくらんだり、目を痛める恐れがあるのを抑制することができる。
【００５８】
［構成例６］
構成例６では、図１８のように、、設置台４０３における前記主走査方向の端部と中央部との各ＬＥＤアレイ４００間でＬＥＤアレイ４００上のＬＥＤ実装位置を変えている。この場合、主走査方向の原稿面照度がｃｏｓ４乗に反比例して端部で光量が高くなるように、前記中央部には、前記端部よりもＬＥＤ４０１が第２コンタクトガラス１５５に設置された原稿ＭＳと反対側、つまり、第２コンタクトガラス１５５に設置された原稿ＭＳから遠ざかる方向に実装されたＬＥＤアレイ４００を使用することが望ましい。
【００５９】
また、本構成例においても、構成例１と同様に、操作部１４０に設けたボタンを押すことによって、画像読取以外のときに第２コンタクトガラス１５５の原稿載置可能領域に第１キャリッジ１６２を移動させ、全てのＬＥＤ４０１を点灯させるモードを実行可能なように構成している。さらに、前記モード時には構成例１と同様にＬＥＤ４０１の発光出力を画像読取動作時よりも小さくしている。なお、これらの詳しい説明は構成例１に記載しているので省略する。これにより、構成例１と同様に、非常に簡単にＬＥＤ４０１の故障確認を行うことができ、且つ、その確認作業時に作業者の目がくらんだり、目を痛める恐れがあるのを抑制することができる。
【００６０】
［実施形態２］
本実施形態において、複写機の基本的な構成は実施形態１で説明したものと同じであるので、その説明は省略する。
【００６１】
次に、本実施形態の特徴部分について説明する。
従来の画像読取装置のように、主走査方向で一つのＬＥＤアレイ４００とした場合、そのＬＥＤアレイ４００上に配置したＬＥＤ４０１が一個故障した際に、ＬＥＤアレイ４００ごと、つまり、故障していないＬＥＤ４０１も含めて全てのＬＥＤ４０１を取り替える必要がある。そこで、本実施形態においては、図１と図１９とのようにＬＥＤアレイ４００を複数個設け、故障したＬＥＤ４０１が配置されたＬＥＤアレイ４００のみを取り替えることが可能な構成にしている。また、ＬＥＤ４０１を実装したＬＥＤアレイ基板４０５は、ベース基板４０６に設けられたコネクタ４０７に着脱可能に構成されている。これにより、ＬＥＤアレイ４００を交換する際に工具などを使用しなくても簡単にＬＥＤアレイ４００をベース基板４０６から着脱することができるので、ＬＥＤアレイ４００交換作業の作業効率が向上する。また、各ＬＥＤアレイ４００は各コネクタ４０７から個々に電流を供給されている。なお、以下で述べる各構成例について特に断りがない場合は、各ＬＥＤアレイ４００に供給される電流の電流値は同じものとするが、言うまでもなく、各ＬＥＤ４００間で前記電流値を異ならせても構わない。また、ベース基板４０６は設置台４０３に固定されている。
【００６２】
［構成例７］
構成例７では、図２０のように、各ＬＥＤアレイ４００間の主走査方向での間隔が中央部でｌ１、端部でｌ２とした場合、ｌ１＞ｌ２になるように、つまり、前記主走査方向での前記間隔が端部よりも中央部が疎になるようにＬＥＤアレイ４００をベース基板４０６上に配置している。このように、ＬＥＤアレイ４００をベース基板４０６上に前述したような異なるピッチで配置することで、原稿面での主走査方向の原稿面照度がｃｏｓ４乗に反比例して前記端部の光量が高くなる。よって、このような光量分布形状にすることにより、レンズのｃｏｓ４乗則により端部の光量が低下してもＣＣＤ２２１上では図２１のようにフラットな照度を得ることができる。なお、本構成例において、各ＬＥＤアレイ４００は同一のものを使用しているが、必ずしも同一のものを使用する必要はない。
【００６３】
また、本構成例では、画像読取以外のときに、第２コンタクトガラス１５５の原稿載置可能領域に第１キャリッジ１６２を移動させ、全てのＬＥＤ４０１を点灯させるモードを有している。なお、このモードは、操作部１４０に設けたボタンを押すだけで前記モードを実行させることができるようにしている。これにより、簡単な操作で前記モードを実行することができ、例えばユーザーによって、ＬＥＤ４０１の点灯の目視が可能な原稿載置可能領域に第１キャリッジ１６２を移動し、全てのＬＥＤ４０１を点灯することによって、ＬＥＤ４０１の故障個所を安易に見つけることができる。つまり、ＬＥＤアレイ４００へのアクセスが可能になるくらいまで、装置本体を分解せずにＬＥＤ４０１の故障箇所を特定することができる。また、各ＬＥＤアレイ４００は各々独立した電源ケーブルにより独立して電流を供給されているので、各ＬＥＤアレイ４００は各々独立して点灯可能となり、故障を確認する際にどのＬＥＤアレイ４００を交換すればよいのかを容易に判定することができる。
【００６４】
さらに、前記モード時、つまり、前記ＬＥＤ４０１の故障を目視で確認する場合などの画像読取動作以外のときに、第１キャリッジ１６２を前記原稿載置可能領域に移動させる際には、ＬＥＤ４０１の発光出力を通常の画像読取時動作のときよりも、かなり低めにしてＬＥＤ４０１を点灯するように構成しても良い。例えばＬＥＤ４０１の故障をユーザーやサービスマンが目視で確認しようとした際に、ＬＥＤ４０１の発光出力が通常読取時と同様の発光出力であったならば、ＬＥＤ４０１の発光出力が強すぎて、ユーザーやサービスマンの目がくらんだり、目を痛める恐れがある。前記目視によるＬＥＤ４０１の故障確認はＬＥＤ４０１が発光しているか否かの確認ができれば良いので、ＬＥＤ４０１の発光が確認できる程度にほんの軽くＬＥＤ４０１を点灯させるだけで良い。よって、画像読取動作以外のときにＬＥＤ４０１を発光させる際の出力を画像読取動作時よりも小さくすることによって、ＬＥＤ４０１の故障確認などでユーザーやサービスマンの目がくらんだり、目を痛める恐れがあるのを抑制することができる。
【００６５】
［構成例８］
構成例８では、図２２のように、複数個のＬＥＤアレイ４００が異なる原稿間距離で配置している。この場合、主走査方向の原稿面照度がｃｏｓ４乗に反比例して端部で光量が高くなるように、ベース基板４０６における前記主走査方向の中央部のＬＥＤアレイ４００を原稿面から離し、ベース基板４０６における前記主走査方向の端部のＬＥＤアレイ４００を原稿面に近づけて配置することが望ましい。また、本構成例では、光の照射方向が実装面に対して平行であるサイドビュータイプのＬＥＤ４０１を使用している。これにより、図１１のようにＬＥＤアレイ４００を保持するベース基板４０６を設置する設置台４０３が原稿面に対して傾いた形状のものを用いることによって、ベース基板４０６のＬＥＤアレイ４００設置面の同一平面上で各ＬＥＤアレイ４００の設置位置を調節すれば良いので、非常に簡単な構成の光源部１９０となる。なお、当然ながら光の照射方向が実装面に対して垂直であるトップビュータイプのＬＥＤ４０１を用いてもの構わないが、この場合は、前記原稿面に対する各ＬＥＤアレイ４００の距離が各ＬＥＤアレイ４００毎で異なるように、例えば階段状の設置台４０３を設け、その設置台４０３と略同様の階段状をしたベース基板４０６にコネクタ４０７を介してＬＥＤアレイ４００を設置すれば良い。なお、各ＬＥＤアレイ４００は同一のものを使用しているが、必ずしも同一のものを使用する必要はない。
【００６６】
また、本構成例においても、構成例７と同様に、操作部１４０に設けたボタンを押すことによって、画像読取以外のときに第２コンタクトガラス１５５の原稿載置可能領域に第１キャリッジ１６２を移動させ、全てのＬＥＤ４０１を点灯させるモードを実行可能なように構成している。さらに、前記モード時には構成例７と同様にＬＥＤ４０１の発光出力を画像読取動作時よりも小さくしている。なお、これらの詳しい説明は構成例７に記載しているので省略する。これにより、構成例７と同様に、非常に簡単にＬＥＤ４０１の故障確認を行うことができ、且つ、その確認作業時に作業者の目がくらんだり、目を痛める恐れがあるのを抑制することができる。
【００６７】
［構成例９］
構成例９では、図２３のように、各コネクタ４０７から各ＬＥＤアレイ４００に供給される電流の電流値を変化させ、ベース基板４０６における前記主走査方向の端部に設けたＬＥＤアレイ４００の光量が前記主走査方向の中央部に設けたＬＥＤアレイ４００の光量よりも大きくなるようにしている。この場合、前記主走査方向の照度がｃｏｓ４乗に反比例して前記端部で高くなるように、前記中央部のＬＥＤアレイ４００の電流値を前記端部のＬＥＤアレイ４００よりも低くすることが望ましい。これにより、なお、この場合、電流値の差による発光スペクトルの差が小さいＬＥＤ４０１を使用するほうが望ましい。また、ＬＥＤアレイ４００に供給する電流値の制御は、例えばベース基板４０６に制御チップを設け、その制御チップにより行うような構成にしても良い。なお、各ＬＥＤアレイ４００は同一のものを使用しているが、必ずしも同一のものを使用する必要はない。
【００６８】
また、本構成例においても、構成例７と同様に、操作部１４０に設けたボタンを押すことによって、画像読取以外のときに第２コンタクトガラス１５５の原稿載置可能領域に第１キャリッジ１６２を移動させ、全てのＬＥＤ４０１を点灯させるモードを実行可能なように構成している。さらに、前記モード時には構成例７と同様にＬＥＤ４０１の発光出力を画像読取動作時よりも小さくしている。なお、これらの詳しい説明は構成例１に記載しているので省略する。これにより、構成例７と同様に、非常に簡単にＬＥＤ４０１の故障確認を行うことができ、且つ、その確認作業時に作業者の目がくらんだり、目を痛める恐れがあるのを抑制することができる。
【００６９】
［構成例１０］
構成例１０では、図２４のように、ベース基板４０６における前記主走査方向の端部と中央部との各ＬＥＤアレイ４００間で実装するＬＥＤ４０１の光度ランクを変えている。この場合、主走査方向の原稿面照度がｃｏｓ４乗に反比例して前記端部で光量が高くなるように前記中央部には前記端部よりも光度ランクの低いＬＥＤ４０１を実装したＬＥＤアレイ４００を使用することが望ましい。なお、中央部と端部とで色度差が生じないように、色度ランク（発光スペクトル）は同じＬＥＤ４０１を使用すべきである。
【００７０】
また、本構成例においても、構成例７と同様に、操作部１４０に設けたボタンを押すことによって、画像読取以外のときに第２コンタクトガラス１５５の原稿載置可能領域に第１キャリッジ１６２を移動させ、全てのＬＥＤ４０１を点灯させるモードを実行可能なように構成している。さらに、前記モード時には構成例７と同様にＬＥＤ４０１の発光出力を画像読取動作時よりも小さくしている。なお、これらの詳しい説明は構成例１に記載しているので省略する。これにより、構成例７と同様に、非常に簡単にＬＥＤ４０１の故障確認を行うことができ、且つ、その確認作業時に作業者の目がくらんだり、目を痛める恐れがあるのを抑制することができる。
【００７１】
［構成例１１］
構成例１１では、図２５のように、ベース基板４０６における前記主走査方向の端部と中央部との各ＬＥＤアレイ４００間でＬＥＤ４０１の実装個数を変えている。この場合、主走査方向の原稿面照度がｃｏｓ４乗に反比例して端部で光量が高くなるように前記中央部には前記端部よりもＬＥＤ４０１の実装個数が少ないＬＥＤアレイ４００を使用することが望ましい。なお、この場合、各ＬＥＤアレイ４００に流す電流値は抵抗値をＬＥＤアレイ４００毎に変える等により同じとし、発光スペクトルが前記端部と前記中央部とで異なることのないようにする。
【００７２】
また、本構成例においても、構成例７と同様に、操作部１４０に設けたボタンを押すことによって、画像読取以外のときに第２コンタクトガラス１５５の原稿載置可能領域に第１キャリッジ１６２を移動させ、全てのＬＥＤ４０１を点灯させるモードを実行可能なように構成している。さらに、前記モード時には構成例７と同様にＬＥＤ４０１の発光出力を画像読取動作時よりも小さくしている。なお、これらの詳しい説明は構成例７に記載しているので省略する。これにより、構成例７と同様に、非常に簡単にＬＥＤ４０１の故障確認を行うことができ、且つ、その確認作業時に作業者の目がくらんだり、目を痛める恐れがあるのを抑制することができる。
【００７３】
［構成例１２］
構成例１６では、図２６のように、ベース基板４０６における前記主走査方向の端部と中央部との各ＬＥＤアレイ４００間で、ＬＥＤアレイ４００に対するＬＥＤ４０１の実装位置を変えている。この場合、主走査方向の原稿面照度がｃｏｓ４乗に反比例して前記端部で光量が高くなるように、前記中央部にはＬＥＤ４０１が第２コンタクトガラス１５５に設置された原稿ＭＳと反対側、つまり、第２コンタクトガラス１５５に設置された原稿ＭＳから遠ざかる方向に実装されたＬＥＤアレイ４００を使用することが望ましい。
【００７４】
また、本構成例においても、構成例７と同様に、操作部１４０に設けたボタンを押すことによって、画像読取以外のときに第２コンタクトガラス１５５の原稿載置可能領域に第１キャリッジ１６２を移動させ、全てのＬＥＤ４０１を点灯させるモードを実行可能なように構成している。さらに、前記モード時には構成例７と同様にＬＥＤ４０１の発光出力を画像読取動作時よりも小さくしている。なお、これらの詳しい説明は構成例７に記載しているので省略する。これにより、構成例７と同様に、非常に簡単にＬＥＤ４０１の故障確認を行うことができ、且つ、その確認作業時に作業者の目がくらんだり、目を痛める恐れがあるのを抑制することができる。
【００７５】
以上、各実施形態によれば、画像読取装置であるスキャナ１５０を備えた画像形成装置である複写機において、発光素子であるＬＥＤ４０１をそれぞれ有した複数の光照射体であるＬＥＤアレイ４００と、前記複数のＬＥＤアレイ４００を直接、または、ベース基板４０６のコネクタ４０７を介して着脱可能に列で保持する保持部材である設置台４０３とからなる、画像読取対象物である原稿ＭＳに光を照射する光源部１９０と、原稿ＭＳの被読取面である原稿面に沿って移動可能な、少なくとも光源部１９０を有する走行体である第１キャリッジ１６２と、原稿ＭＳで反射した反射光を結像させるレンズ部材である結像レンズ２００と、結像レンズ２００によって結像された前記反射光によって原稿ＭＳの画像を撮像する撮像手段であるＣＣＤ２２１とを備え、前記複数のＬＥＤアレイ４００は設置台４０３上またはベース基板４０６上に、第１キャリッジ１６２の移動方向に対して直交する方向である主走査方向に列設されており、前記原稿面での前記主走査方向の光源部１９０による照度分布が、前記原稿面での前記主走査方向の端部よりも前記原稿面での前記主走査方向の中央部のほうが低くなるように、設置台４０３またはベース基板４０６における前記主走査方向でのＬＥＤアレイ４００の配列密度を前記端部よりも前記中央部を低くして、複数のＬＥＤアレイ４００を設置台４０３またはベース基板４０６に配置している。これにより、前記主走査方向での隣り合うＬＥＤアレイ４００の間隔が前記端部よりも前記中央部が疎になるように各ＬＥＤアレイ４００を設置台４０３上またはベース基板４０６上に配置しているので、前記端部の光量を前記中央部よりも大きくすることができる。したがって、このような光量分布形状にすることによって、レンズのｃｏｓ４乗則により前記端部の照度が低下しても、前記反射光の前記中央部の光を遮蔽することにより結像レンズ２００による前記端部の照度低下分を補正する補正部材を用いることなく、前記ＣＣＤ２２１上でフラットな照度を得ることができる。よって、前記補正部材を用いる必要が無いので、ＬＥＤ４０１に大きな電流を流す必要が無く、ＬＥＤ４０１が異常に発熱することも無いので、ＬＥＤ４０１の寿命が短くなるのを抑制することができる。さらに、光源部１９０はＬＥＤアレイ４００を複数設けることによって構成されているので、点灯しなくなったＬＥＤ４０１があっても、そのＬＥＤ４０１が配置されたＬＥＤアレイ４００のみを交換することができるので、まだ使用可能なＬＥＤ４０１までもが無駄に交換されるのを抑制することができる。
また、各実施形態によれば、スキャナ１５０を備えた複写機において、ＬＥＤ４０１をそれぞれ有した複数のＬＥＤアレイ４００と、複数のＬＥＤアレイ４００を直接、または、ベース基板４０６のコネクタ４０７を介して着脱可能に列で保持する設置台４０３とからなる、原稿ＭＳに光を照射する光源部１９０と、原稿ＭＳの原稿面に沿って移動可能な、少なくとも光源部１９０を有する第１キャリッジ１６２と、原稿ＭＳで反射した反射光を結像させる結像レンズ２００と、結像レンズ２００によって結像された前記反射光によって原稿ＭＳの画像を撮像するＣＣＤ２２１とを備え、前記複数のＬＥＤアレイ４００は設置台４０３またはベース基板４０６に、第１キャリッジ１６２の移動方向に対して直交する方向である主走査方向に列設されており、且つ、前記原稿面における前記主走査方向の光源部１９０による照度分布が、前記原稿面の前記主走査方向の端部よりも前記読取面の前記主走査方向の中央部のほうが低くなるように原稿ＭＳに対するＬＥＤアレイ４００の距離を前記複数のＬＥＤアレイ４００間で異ならせて構成している。これにより、前記中央部のＬＥＤアレイ４００を原稿面から離し、前記端部のＬＥＤアレイ４００を原稿面に近づけて配置しているので、前記端部の光量を前記中央部よりも大きくすることができる。したがって、レンズのｃｏｓ４乗則により前記端部の光量が低下するのを考慮して、前記反射光の前記中央部の光を遮蔽することにより結像レンズ２００による前記端部の光量低下分を補正する補正部材を用いることなく、前記ＣＣＤ２２１上でフラットな照度を得るための適切な設定を行うことができる。よって、前記補正部材を用いる必要が無いので、ＬＥＤ４０１に大きな電流を流す必要が無く、ＬＥＤ４０１が異常に発熱することも無いので、ＬＥＤ４０１の寿命が短くなるのを抑制することができる。さらに、光源部１９０はＬＥＤアレイ４００を複数設けることによって構成されているので、点灯しなくなったＬＥＤ４０１があっても、そのＬＥＤ４０１が配置されたＬＥＤアレイ４００のみを交換することができるので、まだ使用可能なＬＥＤ４０１までもが無駄に交換されるのを抑制することができる。
また、各実施形態によれば、スキャナ１５０を備えた複写機において、ＬＥＤ４０１をそれぞれ有した複数のＬＥＤアレイ４００と、複数のＬＥＤアレイ４００を直接、または、ベース基板４０６のコネクタ４０７を介して着脱可能に列で保持する設置台４０３とからなる、原稿ＭＳに光を照射する光源部１９０と、原稿ＭＳの原稿面に沿って移動可能な、少なくとも光源部１９０を有する第１キャリッジ１６２と、原稿ＭＳで反射した反射光を結像させる結像レンズ２００と、結像レンズ２００によって結像された前記反射光によって原稿ＭＳの画像を撮像するＣＣＤ２２１とを備え、複数のＬＥＤアレイ４００は設置台４０３上またはベース基板４０６上に、第１キャリッジ１６２の移動方向に対して直交する方向である主走査方向に列設されており、前記原稿面での前記主走査方向の光源部１９０による照度分布が、前記原稿面での前記主走査方向の端部よりも前記原稿面での前記主走査方向の中央部のほうが低くなるように、ＬＥＤアレイ４００に流す電流量を複数のＬＥＤアレイ４００間で異ならせている。これにより、例えば、前記端部に設けたＬＥＤアレイ４００の電流値をＬＥＤ４０１が異常に加熱されない程度に前記中央部のＬＥＤアレイ４００よりも高くしてＬＥＤ４０１を点灯させたり、前記中央部のＬＥＤアレイ４００の電流値を前記端部のＬＥＤアレイ４００の電流値よりも低くすることで、前記端部の光量を前記中央部よりも大きくすることができる。したがって、レンズのｃｏｓ４乗則により前記端部の光量が低下するのを考慮して、前記反射光の前記中央部の光を遮蔽することにより結像レンズ２００による前記端部の光量低下分を補正する補正部材を用いることなく、前記ＣＣＤ２２１上でフラットな照度を得るための適切な設定を行うことができる。よって、前記補正部材を用いる必要が無いので、ＬＥＤ４０１に大きな電流を流す必要が無く、ＬＥＤ４０１が異常に発熱することも無いので、ＬＥＤ４０１の寿命が短くなるのを抑制することができる。さらに、光源部１９０はＬＥＤアレイ４００を複数設けることによって構成されているので、点灯しなくなったＬＥＤ４０１があっても、そのＬＥＤ４０１が配置されたＬＥＤアレイ４００のみを交換することができるので、まだ使用可能なＬＥＤ４０１までもが無駄に交換されるのを抑制することができる。
また、各実施形態によれば、スキャナ１５０を備えた複写機において、ＬＥＤ４０１をそれぞれ有した複数のＬＥＤアレイ４００と、複数のＬＥＤアレイ４００を直接、または、ベース基板４０６のコネクタ４０７を介して着脱可能に列で保持する設置台４０３とからなる、原稿ＭＳに光を照射する光源部１９０と、原稿ＭＳの原稿面に沿って移動可能な、少なくとも光源部１９０を有する第１キャリッジ１６２と、原稿ＭＳで反射した反射光を結像させる結像レンズ２００と、結像レンズ２００によって結像された前記反射光によって原稿ＭＳの画像を撮像するＣＣＤ２２１とを備え、複数のＬＥＤアレイ４００は設置台４０３上またはベース基板４０６上に、第１キャリッジ１６２の移動方向に対して直交する方向である主走査方向に列設されており、光源部１９０による前記原稿面での前記主走査方向の照度分布が前記端部よりも前記中央部が低くなるように、前記複数のＬＥＤアレイ４００間で光量が異なるＬＥＤ４０１を設けている。これにより、例えば、前記中央部に前記端部よりも光度ランクの低いＬＥＤ４０１を実装したＬＥＤアレイ４００を使用することで、前記端部の光量を前記中央部よりも大きくすることができる。したがって、レンズのｃｏｓ４乗則により前記端部の光量が低下するのを考慮して、前記反射光の前記中央部の光を遮蔽することにより結像レンズ２００による前記端部の光量低下分を補正する補正部材を用いることなく、前記ＣＣＤ２２１上でフラットな照度を得るための適切な設定を行うことができる。よって、前記補正部材を用いる必要が無いので、ＬＥＤ４０１に大きな電流を流す必要が無く、ＬＥＤ４０１が異常に発熱することも無いので、ＬＥＤ４０１の寿命が短くなるのを抑制することができる。さらに、光源部１９０はＬＥＤアレイ４００を複数設けることによって構成されているので、点灯しなくなったＬＥＤ４０１があっても、そのＬＥＤ４０１が配置されたＬＥＤアレイ４００のみを交換することができるので、まだ使用可能なＬＥＤ４０１までもが無駄に交換されるのを抑制することができる。
また、各実施形態によれば、スキャナ１５０を備えた複写機において、ＬＥＤ４０１をそれぞれ有した複数のＬＥＤアレイ４００と、複数のＬＥＤアレイ４００を直接、または、ベース基板４０６のコネクタ４０７を介して着脱可能に列で保持する設置台４０３とからなる、原稿ＭＳに光を照射する光源部１９０と、原稿ＭＳの原稿面に沿って移動可能な、少なくとも光源部１９０を有する第１キャリッジ１６２と、原稿ＭＳで反射した反射光を結像させる結像レンズ２００と、結像レンズ２００によって結像された前記反射光によって原稿ＭＳの画像を撮像するＣＣＤ２２１とを備え、複数のＬＥＤアレイ４００は設置台４０３上またはベース基板４０６上に、第１キャリッジ１６２の移動方向に対して直交する方向である主走査方向に列設されており、光源部１９０による前記原稿面での前記主走査方向の照度分布が前記端部よりも前記中央部が低くなるように、ＬＥＤアレイ４００が実装するＬＥＤ４０１の数を、前記複数のＬＥＤアレイ４００間で異ならせて構成している。これにより、例えば、前記中央部に前記端部よりもＬＥＤ４０１の実装個数が少ないＬＥＤアレイ４００を使用することで、前記端部の光量を前記中央部よりも大きくすることができる。したがって、レンズのｃｏｓ４乗則により前記端部の光量が低下するのを考慮して、前記反射光の前記中央部の光を遮蔽することにより結像レンズ２００による前記端部の光量低下分を補正する補正部材を用いることなく、前記ＣＣＤ２２１上でフラットな照度を得るための適切な設定を行うことができる。よって、前記補正部材を用いる必要が無いので、ＬＥＤ４０１に大きな電流を流す必要が無く、ＬＥＤ４０１が異常に発熱することも無いので、ＬＥＤ４０１の寿命が短くなるのを抑制することができる。さらに、光源部１９０はＬＥＤアレイ４００を複数設けることによって構成されているので、点灯しなくなったＬＥＤ４０１があっても、そのＬＥＤ４０１が配置されたＬＥＤアレイ４００のみを交換することができるので、まだ使用可能なＬＥＤ４０１までもが無駄に交換されるのを抑制することができる。
また、各実施形態によれば、スキャナ１５０を備えた複写機において、ＬＥＤ４０１をそれぞれ有した複数のＬＥＤアレイ４００と、複数のＬＥＤアレイ４００を直接、または、ベース基板４０６のコネクタ４０７を介して着脱可能に列で保持する設置台４０３とからなる、原稿ＭＳに光を照射する光源部１９０と、原稿ＭＳの原稿面に沿って移動可能な、少なくとも光源部１９０を有する第１キャリッジ１６２と、原稿ＭＳで反射した反射光を結像させる結像レンズ２００と、結像レンズ２００によって結像された前記反射光によって原稿ＭＳの画像を撮像するＣＣＤ２２１とを備え、複数のＬＥＤアレイ４００は設置台４０３上またはベース基板４０６上に、第１キャリッジ１６２の移動方向に対して直交する方向である主走査方向に列設されており、光源部１９０による前記原稿面での前記主走査方向の照度分布が前記端部よりも前記中央部が低くなるように、ＬＥＤアレイ４００に対するＬＥＤ４０１の配置位置を前記複数のＬＥＤアレイ４００間で異ならせて構成している。これにより、例えば、前記中央部には、前記端部に設けられるＬＥＤアレイ４００よりもＬＥＤアレイ４００に対するＬＥＤ４０１の配置位置が第２コンタクトガラス１５５にと反対側、つまり、第２コンタクトガラス１５５に対して遠ざかる方向に実装されたＬＥＤアレイ４００を使用するすることで、前記端部の光量を前記中央部よりも大きくすることができる。したがって、レンズのｃｏｓ４乗則により前記端部の光量が低下するのを考慮して、前記反射光の前記中央部の光を遮蔽することにより結像レンズ２００による前記端部の光量低下分を補正する補正部材を用いることなく、前記ＣＣＤ２２１上でフラットな照度を得るための適切な設定を行うことができる。よって、前記補正部材を用いる必要が無いので、ＬＥＤ４０１に大きな電流を流す必要が無く、ＬＥＤ４０１が異常に発熱することも無いので、ＬＥＤ４０１の寿命が短くなるのを抑制することができる。さらに、光源部１９０はＬＥＤアレイ４００を複数設けることによって構成されているので、点灯しなくなったＬＥＤ４０１があっても、そのＬＥＤ４０１が配置されたＬＥＤアレイ４００のみを交換することができるので、まだ使用可能なＬＥＤ４０１までもが無駄に交換されるのを抑制することができる。
また、実施形態１によれば、ＬＥＤアレイ４００はネジ部材であるネジによって設置台４０３に対し着脱可能に保持されるように構成されている。これにより、ＬＥＤアレイ４００を交換する際に工具としてドライバーを用いるだけで簡単にＬＥＤアレイ４００を設置台４０３から着脱することができるので、ＬＥＤアレイ４００交換作業の作業効率が向上する。
また、実施形態２によれば、上記ベース基板４０６は上記複数のＬＥＤアレイ４００と個々で接続可能な複数の接続部材であるコネクタ４０７を有しており、ＬＥＤアレイ４００がコネクタ４０７を介してベース基板４０６に対し着脱可能に保持されるように構成している。これにより、ＬＥＤアレイ４００を交換する際に工具などを使用しなくても簡単にＬＥＤアレイ４００をベース基板４０６から着脱することができるので、ＬＥＤアレイ４００交換作業の作業効率が向上する。
また、各実施形態によれば、上記原稿ＭＳを平面的に定置するガラス部材である第２コンタクトガラス１５５を有し、画像読取動作時以外に第１キャリッジ１６２を第２コンタクトガラス１５５と対向する位置である原稿載置可能領域内に移動して、上記光源部１９０を点灯するモードを備えている。これにより、ユーザーによってＬＥＤ４０１の点灯の目視が可能な前記原稿載置可能領域に第１キャリッジ１６２を移動し、全てのＬＥＤ４０１を点灯することによって、ＬＥＤ４０１の故障個所を安易に見つけることができる。
また、各実施形態によれば、各ＬＥＤアレイ４００は、それぞれ独立して点灯可能なように構成されている。これにより、故障を確認する際にどのＬＥＤアレイ４００を交換すればよいのかを容易に判定することができる。
また、各実施形態によれば、上記モード中のＬＥＤ４０１の発光出力が、画像読取動作時の前記発光出力よりも低くなるように構成している。このように、画像読取動作以外のときにＬＥＤ４０１を発光させる際の出力を画像読取動作時よりも小さくすることによって、ＬＥＤ４０１の故障確認などでユーザーやサービスマンの目がくらんだり、目を痛める恐れがあるのを抑制することができる。
また、各実施形態によれば、上記モードの実行の指示を入力する入力部である操作部１４０を備えている。これにより、前記モードを操作部１４０に設けたボタンを押すだけで簡単に前記モードを実行させることができるようにしているので、ＬＥＤ４０１の故障確認など作業効率を向上させることができる。
また、各実施形態によれば、上記原稿ＭＳから画像に関する情報を読み取る画像読取手段と、前記画像読取手段が読み取った前記情報に基づいて画像を形成する画像形成手段とを備えた画像形成装置である複写機において、前記画像読取手段として、本発明を適用することにより、前記反射光の前記中央部の光を遮蔽することにより結像レンズ２００による前記端部の光量低下分を補正する補正部材を用いることなくＣＣＤ２２１上でフラットな照度を得るための適切な設定を行うことができ、且つ、ＬＥＤ４０１の無駄な交換を抑制できる複写機を提供することが可能となる。
【００７６】
なお、上記背景技術で述べた補正部材を用いて前記端部の光量低下分を補正するような構成にした場合には、ＭＴＦ（Ｍｏｄｕｌａｔｉｏｎ  Ｔｒａｎｓｆｅｒ  Ｆｕｎｃｔｉｏｎ）の低下にも繋がってしまうため画像品質の劣化を招いてしまうが、各実施形態で説明したように、本発明を適用した画像読取装置を備えた画像形成装置では、前記補正部材を用いることなくＣＣＤ２２１上でのフラットな照度を得ることができるので、ＭＴＦが低下することも抑制できる。
【図面の簡単な説明】
【００７７】
【図１】本発明の特徴部分の概略構成図。
【図２】本実施形態に係る複写機の概略構成図。
【図３】同複写機における内部構成の一部を拡大して示す部分拡大構成。
【図４】同複写機のタンデム部の一部を示す部分拡大図。
【図５】同複写機のＡＤＦ及びスキャナを示す斜視図。
【図６】同スキャナを部分的に示す部分斜視図。
【図７】同スキャナの移動読取部をその側方から示す構成図。
【図８】複数のＬＥＤを主走査方向にアレイ状に並べて配置した光源部を備えた従来の第１キャリッジの概略断面図。
【図９】従来の第１キャリッジの概略斜視図である。
【図１０】実施形態１における第１キャリッジの要部概略構成図。
【図１１】実施形態１における第１キャリッジの要部斜視図。
【図１２】構成例１の光源部の要部概略構成図。
【図１３】主走査方向と照度との関係を示したグラフ。
【図１４】構成例２の光源部の概略構成図。
【図１５】構成例３の光源部の概略構成図。
【図１６】構成例４の光源部の概略構成図。
【図１７】構成例５の光源部の概略構成図。
【図１８】構成例６の光源部の概略構成図。
【図１９】本実施形態における第１キャリッジの要部斜視図。
【図２０】構成例７の光源部の概略構成図。
【図２１】主走査方向と照度との関係を示したグラフ。
【図２２】構成例８の光源部の概略構成図。
【図２３】構成例９の光源部の概略構成図。
【図２４】構成例１０の光源部の概略構成図。
【図２５】構成例１１の光源部の概略構成図。
【図２６】構成例１２の光源部の概略構成図。
【図２７】従来の複写機のスキャナの移動読取部をその側方から示す構成図。
【図２８】従来の複写機のスキャナを部分的に示す部分斜視図。
【図２９】光源がキセノンランプとした光照射装置の部分拡大図。
【図３０】複数のＬＥＤを主走査方向にアレイ状に並べて配置した光源部の概略構成図。
【図３１】主走査方向と照度との関係を示したグラフ。
【図３２】補正部材の概略構成図。
【符号の説明】
【００７８】
１４０    操作部
１５０    スキャナ
１５５    第２コンタクトガラス
１６２    第１キャリッジ
１６３    第２キャリッジ
１９０    光源部
２００    結像レンズ
２１０    レンズユニット
２２１    ＣＣＤ
４００    ＬＥＤアレイ
４０１    ＬＥＤ
４０２    ＬＥＤアレイ基板
４０３    設置台
４０４    コネクタ
４０５    ＬＥＤアレイ基板
４０６    ベース基板
４０７    コネクタ
【図１】
2008160555.tif 000003
【図２】
2008160555.tif 000004
【図３】
2008160555.tif 000005
【図４】
2008160555.tif 000006
【図５】
2008160555.tif 000007
【図６】
2008160555.tif 000008
【図７】
2008160555.tif 000009
【図８】
2008160555.tif 000010
【図９】
2008160555.tif 000011
【図１０】
2008160555.tif 000012
【図１１】
2008160555.tif 000013
【図１２】
2008160555.tif 000014
【図１３】
2008160555.tif 000015
【図１４】
2008160555.tif 000016
【図１５】
2008160555.tif 000017
【図１６】
2008160555.tif 000018
【図１７】
2008160555.tif 000019
【図１８】
2008160555.tif 000020
【図１９】
2008160555.tif 000021
【図２０】
2008160555.tif 000022
【図２１】
2008160555.tif 000023
【図２２】
2008160555.tif 000024
【図２３】
2008160555.tif 000025
【図２４】
2008160555.tif 000026
【図２５】
2008160555.tif 000027
【図２６】
2008160555.tif 000028
【図２７】
2008160555.tif 000029
【図２８】
2008160555.tif 000030
【図２９】
2008160555.tif 000031
【図３０】
2008160555.tif 000032
【図３１】
2008160555.tif 000033
【図３２】
2008160555.tif 000034